(57)【要約】  本発明は、データ伝送方法、装置及びコンピュータ記憶媒体を開示し、前記方法は、端末がアクセスネットワーク要素により送信されたデータを受信し、前記データに対応するＰＤＵセッションを決定し、前記端末が前記データに対応するＰＤＵセッションに基づいて、前記ＰＤＵセッションに対応するプロトコル層エンティティに前記データを伝送することを含む。アクセスネットワーク要素が端末により送信されたデータを受信し、前記データに対応するＰＤＵセッションを決定し、前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送する。
2021513758.tif 000002
【特許請求の範囲】
【請求項１】
端末がアクセスネットワーク要素により送信されたデータを受信し、前記データに対応するプロトコルデータユニットＰＤＵセッションを決定することと、
前記端末が前記データに対応するＰＤＵセッションに基づいて、前記ＰＤＵセッションに対応するプロトコル層エンティティに前記データを伝送することとを含む
ことを特徴とするデータ伝送方法。
【請求項２】
前記端末がアクセスネットワーク要素により送信されたデータを受信し、前記データに対応するＰＤＵセッションを決定することは、
前記端末がアクセスネットワーク要素により送信されたデータを受信する時に、前記データからＰＤＵセッションの関連情報を抽出することと、
前記端末が前記ＰＤＵセッションの関連情報に基づいて、前記データに対応するＰＤＵセッションを決定することとを含み、
前記ＰＤＵセッションの関連情報は、
ＰＤＵセッションの識別情報、ＰＤＵセッションのアドレス情報、サービス品質ＱｏＳフローの識別情報のうちの少なくとも１つを含む
ことを特徴とする請求項１に記載のデータ伝送方法。
【請求項３】
前記ＰＤＵセッションの関連情報がＰＤＵセッションの識別情報であり、
前記端末が前記ＰＤＵセッションの関連情報に基づいて、前記データに対応するＰＤＵセッションを決定することは、
前記端末が前記ＰＤＵセッションの識別情報に基づいて、前記データに対応するＰＤＵセッションを決定することを含む
ことを特徴とする請求項２に記載のデータ伝送方法。
【請求項４】
前記ＰＤＵセッションの関連情報がＰＤＵセッションのアドレス情報であり、
前記端末が前記ＰＤＵセッションの関連情報に基づいて、前記データに対応するＰＤＵセッションを決定することは、
前記端末が前記ＰＤＵセッションのアドレス情報とＰＤＵセッションとの対応関係に基づいて、前記データに対応するＰＤＵセッションを決定することを含む
ことを特徴とする請求項２に記載のデータ伝送方法。
【請求項５】
前記ＰＤＵセッションの関連情報がＱｏＳフローの識別情報であり、
前記端末が前記ＰＤＵセッションの関連情報に基づいて、前記データに対応するＰＤＵセッションを決定することは、
前記端末が前記ＱｏＳフローの識別情報とＰＤＵセッションとの対応関係に基づいて、前記データに対応するＰＤＵセッションを決定することを含む
ことを特徴とする請求項２に記載のデータ伝送方法。
【請求項６】
前記方法は、さらに、
ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成することを含む
ことを特徴とする請求項４に記載のデータ伝送方法。
【請求項７】
前記方法は、さらに、
前記端末は、所定のプロトコルに基づいて、ＰＤＵセッションのアドレス情報とＰＤＵセッションとの対応関係を決定することを含む
ことを特徴とする請求項４に記載のデータ伝送方法。
【請求項８】
前記方法は、さらに、
ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成することを含む
ことを特徴とする請求項５に記載のデータ伝送方法。
【請求項９】
前記方法は、さらに、
前記端末は、所定のプロトコルに基づいて、ＱｏＳフローの識別情報とＰＤＵセッションとの対応関係を決定することを含む
ことを特徴とする請求項５に記載のデータ伝送方法。
【請求項１０】
前記端末とアクセスネットワーク要素とコアネットワーク要素とが、対応関係をネゴシエーションして構成することは、
前記端末が前記対応関係を構成し、構成された前記対応関係を前記アクセスネットワーク要素及びコアネットワーク要素に送信すること、又は、
前記端末が前記アクセスネットワーク要素又はコアネットワーク要素により構成された前記対応関係を受信することを含む
ことを特徴とする請求項６又は８に記載のデータ伝送方法。
【請求項１１】
前記ＰＤＵセッションに対応するプロトコル層エンティティに前記データを伝送することは、
前記ＰＤＵセッションに対応するＩＰエンティティ又はＳＭＳＦエンティティに前記データを伝送することを含む
ことを特徴とする請求項１〜１０のいずれか１項に記載のデータ伝送方法。
【請求項１２】
アクセスネットワーク要素が端末により送信されたデータを受信し、前記データに対応するＰＤＵセッションを決定することと、
前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送することとを含む
ことを特徴とするデータ伝送方法。
【請求項１３】
前記アクセスネットワーク要素が端末により送信されたデータを受信し、前記データに対応するＰＤＵセッションを決定するこは、
前記アクセスネットワーク要素が端末により送信されたデータを受信する時に、前記データからＰＤＵセッションの関連情報を抽出することと、
前記アクセスネットワーク要素が前記ＰＤＵセッションの関連情報に基づいて、前記データに対応するＰＤＵセッションを決定することとを含み、
前記ＰＤＵセッションの関連情報は、
ＰＤＵセッションの識別情報、ＰＤＵセッションのアドレス情報、ＱｏＳフローの識別情報のうちの少なくとも１つを含む
ことを特徴とする請求項１２に記載のデータ伝送方法。
【請求項１４】
前記ＰＤＵセッションの関連情報がＰＤＵセッションの識別情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションの識別情報に基づいて、前記データに対応するＰＤＵセッションを決定することを含む
ことを特徴とする請求項１３に記載のデータ伝送方法。
【請求項１５】
前記ＰＤＵセッションの関連情報がＰＤＵセッションのアドレス情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションのアドレス情報とＰＤＵセッションとの対応関係に基づいて、前記データに対応するＰＤＵセッションを決定すること、又は、
前記アクセスネットワーク要素が前記ＰＤＵセッションのアドレス情報とＰＤＵセッションチャネルとの対応関係に基づいて、前記データに対応するＰＤＵセッションを決定することを含み、ＰＤＵセッションチャネルがＰＤＵセッションに一対一対応する
ことを特徴とする請求項１３に記載のデータ伝送方法。
【請求項１６】
前記ＰＤＵセッションの関連情報がＱｏＳフローの識別情報であり、
前記アクセスネットワーク要素が前記ＰＤＵセッションの関連情報に基づいて、前記データに対応するＰＤＵセッションを決定することは、
前記アクセスネットワーク要素が前記ＱｏＳフローの識別情報とＰＤＵセッションとの対応関係に基づいて、前記データに対応するＰＤＵセッションを決定することを含む
ことを特徴とする請求項１３に記載のデータ伝送方法。
【請求項１７】
前記方法は、さらに、
ＰＤＵセッションを確立又は変更する場合、前記アクセスネットワーク要素と端末とコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成することを含む
ことを特徴とする請求項１５に記載のデータ伝送方法。
【請求項１８】
前記方法は、さらに、
前記アクセスネットワーク要素は、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定することを含む
ことを特徴とする請求項１５に記載のデータ伝送方法。
【請求項１９】
前記方法は、さらに、
ＰＤＵセッションを確立又は変更する場合、前記アクセスネットワーク要素と端末とコアネットワーク要素とは、ＱｏＳフローの識別情報とＰＤＵセッションとの対応関係をネゴシエーションして構成することを含む
ことを特徴とする請求項１６に記載のデータ伝送方法。
【請求項２０】
前記方法は、さらに、
前記アクセスネットワーク要素は、所定のプロトコルに基づいて、ＱｏＳフローの識別情報とＰＤＵセッションとの対応関係を決定することを含む
ことを特徴とする請求項１６に記載のデータ伝送方法。
【請求項２１】
前記アクセスネットワーク要素と端末とコアネットワーク要素とが、対応関係をネゴシエーションして構成することは、
前記アクセスネットワーク要素が前記対応関係を構成し、構成された前記対応関係を前記端末及びコアネットワーク要素に送信すること、又は、
前記アクセスネットワーク要素が前記端末又はコアネットワーク要素により構成された前記対応関係を受信することを含む
ことを特徴とする請求項１７又は１９に記載のデータ伝送方法。
【請求項２２】
受信ユニットと、決定ユニットと、伝送ユニットと、を備えるデータ伝送装置であって、
前記受信ユニットは、アクセスネットワーク要素により送信されたデータを受信するように構成され、
前記決定ユニットは、前記データに対応するＰＤＵセッションを決定するように構成され、
前記伝送ユニットは、前記データに対応するＰＤＵセッションに基づいて、前記ＰＤＵセッションに対応するプロトコル層エンティティに前記データを伝送するように構成される
ことを特徴とするデータ伝送装置。
【請求項２３】
前記決定ユニットは、前記データからＰＤＵセッションの関連情報を抽出し、前記ＰＤＵセッションの関連情報に基づいて、前記データに対応するＰＤＵセッションを決定するように構成され、
前記ＰＤＵセッションの関連情報は、
ＰＤＵセッションの識別情報、ＰＤＵセッションのアドレス情報、ＱｏＳフローの識別情報のうちの少なくとも１つを含む
ことを特徴とする請求項２２に記載のデータ伝送装置。
【請求項２４】
前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される
ことを特徴とする請求項２３に記載のデータ伝送装置。
【請求項２５】
前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定するように構成される
ことを特徴とする請求項２３に記載のデータ伝送装置。
【請求項２６】
前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される
ことを特徴とする請求項２３に記載のデータ伝送装置。
【請求項２７】
前記装置は、さらに、ネゴシエーションユニットをさらに含む、
前記ネゴシエーションユニットは、ＰＤＵセッションを確立又は変更する場合、アクセスネットワーク要素及びコアネットワーク要素とは、ＰＤＵセッションのアドレス情報とＰＤＵセッションとの対応関係をネゴシエーションして構成するように構成される
ことを特徴とする請求項２５に記載のデータ伝送装置。
【請求項２８】
前記決定ユニットは、さらに、所定のプロトコルに基づいて、ＰＤＵセッションのアドレス情報とＰＤＵセッションとの対応関係を決定するように構成される
ことを特徴とする請求項２５に記載のデータ伝送装置。
【請求項２９】
前記装置は、さらに、ネゴシエーションユニットを含み、
前記ネゴシエーションユニットは、ＰＤＵセッションを確立又は変更する場合、アクセスネットワーク要素及びコアネットワーク要素とは、ＱｏＳフローの識別情報とＰＤＵセッションとの対応関係をネゴシエーションして構成するように構成される
ことを特徴とする請求項２６に記載のデータ伝送装置。
【請求項３０】
前記決定ユニットは、さらに、所定のプロトコルに基づいて、ＱｏＳフローの識別情報とＰＤＵセッションとの対応関係を決定するように構成される
ことを特徴とする請求項２６に記載のデータ伝送装置。
【請求項３１】
前記ネゴシエーションユニットは、前記対応関係を構成し、構成された前記対応関係を前記アクセスネットワーク要素及びコアネットワーク要素に送信し、又は、前記アクセスネットワーク要素又はコアネットワーク要素により構成された前記対応関係を受信するように構成される
ことを特徴とする請求項２７又は２９に記載のデータ伝送装置。
【請求項３２】
前記伝送ユニットは、前記ＰＤＵセッションに対応するＩＰエンティティ又はＳＭＳＦエンティティに前記データを伝送するように構成される
ことを特徴とする請求項２２〜３１のいずれか１項に記載のデータ伝送装置。
【請求項３３】
受信ユニットと、決定ユニットと、伝送ユニットと、を備えるデータ伝送装置であって、
前記受信ユニットは、端末により送信されたデータを受信するように構成され、
前記決定ユニットは、前記データに対応するＰＤＵセッションを決定するように構成され、
前記伝送ユニットは、前記データに対応するＰＤＵセッションに基づいて、前記ＰＤＵセッションに対応するチャネルに前記データを伝送し、前記チャネルに基づいて前記データをコアネットワーク要素に伝送するように構成される
ことを特徴とするデータ伝送装置。
【請求項３４】
前記決定ユニットは、前記データからＰＤＵセッションの関連情報を抽出し、前記ＰＤＵセッションの関連情報に基づいて、前記データに対応するＰＤＵセッションを決定するように構成され、
前記ＰＤＵセッションの関連情報は、
ＰＤＵセッションの識別情報、ＰＤＵセッションのアドレス情報、ＱｏＳフローの識別情報のうちの少なくとも１つを含む
ことを特徴とする請求項３３に記載のデータ伝送装置。
【請求項３５】
前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される
ことを特徴とする請求項３４に記載のデータ伝送装置。
【請求項３６】
前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定するように構成され、
ＰＤＵセッションチャネルがＰＤＵセッションに一対一対応する
ことを特徴とする請求項３４に記載のデータ伝送装置。
【請求項３７】
前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される
ことを特徴とする請求項３４に記載のデータ伝送装置。
【請求項３８】
前記装置は、さらに、ネゴシエーションユニットを含み、
ネゴシエーションユニットは、ＰＤＵセッションを確立又は変更する場合、端末及びコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成するように構成される
ことを特徴とする請求項３６に記載のデータ伝送装置。
【請求項３９】
前記決定ユニットは、さらに、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定するように構成される
ことを特徴とする請求項３６に記載のデータ伝送装置。
【請求項４０】
前記装置は、さらに、ネゴシエーションユニットを含み
前記ネゴシエーションユニットは、ＰＤＵセッションを確立又は変更する場合、端末及びコアネットワーク要素とは、ＱｏＳフローの識別情報とＰＤＵセッションとの対応関係をネゴシエーションして構成するように構成される
ことを特徴とする請求項３７に記載のデータ伝送装置。
【請求項４１】
前記決定ユニットは、さらに、所定のプロトコルに基づいて、ＱｏＳフローの識別情報とＰＤＵセッションとの対応関係を決定するように構成される
ことを特徴とする請求項３７に記載のデータ伝送装置。
【請求項４２】
前記ネゴシエーションユニットは、前記対応関係を構成し、構成された前記対応関係を前記端末及びコアネットワーク要素に送信し、又は、前記端末又はコアネットワーク要素により構成された前記対応関係を受信するように構成される
ことを特徴とする請求項３８又は４０に記載のデータ伝送装置。
【請求項４３】
プロセッサによって実行されると、請求項１〜１１のいずれか１項に記載の方法ステップ、又は請求項１２〜２１のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、データ伝送方法、装置及びコンピュータ記憶媒体に関する。
【背景技術】
【０００２】
第５世代移動通信( ５Ｇ、５ｔｈ Ｇｅｎｅｒａｔｉｏｎ )システムにおいて、各端末は、１つ以上のプロトコルデータユニット( ＰＤＵ、Ｐｒｏｔｏｃｏｌ Ｄａｔａ Ｕｎｉｔ )セッションを確立することができ、各ＰＤＵセッションは、複数のサービス品質フロー( ＱｏＳ ｆｌｏｗ、Ｑｕａｌｉｔｙ ｏｆ Ｓｅｒｖｉｃｅ ｆｌｏｗ )を含むことができ、ここで、ＱｏＳフローは、ＰＤＵセッション内で一意に識別される。図１に示すように、アクセスネットワークとコアネットワークとの接続では、ＰＤＵセッション毎に１本のチャネルが割り当てられることになり、ＰＤＵセッションチャネルと呼ばれる。
【０００３】
従来技術では、端末が送信したデータをアクセスネットワークが受信すると、そのデータがどのＱｏＳフローに属するかを認識することができるが、そのデータがどのＰＤＵセッションに属するかを認識することができず、アクセスネットワークは、どのチャネルにデータを渡すかを知らない。同様に、端末は、アクセスネットワークが送信したデータを受信すると、そのデータがどのＰＤＵセッションに属するかを認識することができず、どのＩＰエンティティにデータを渡したのか分からない。
【発明の概要】
【０００４】
本発明の実施例は、上記課題を解決するために、データ伝送方法、装置及びコンピュータ記憶媒体を提供する
本発明の実施例におけるデータ伝送方法は、
端末がアクセスネットワーク要素により送信されたデータを受信し、前記データに対応するＰＤＵセッションを決定することと、
前記端末が前記データに対応するＰＤＵセッションに基づいて、前記ＰＤＵセッションに対応するプロトコル層エンティティに前記データを伝送することとを含む。
【０００５】
本発明の実施例において、前記端末がアクセスネットワーク要素により送信されたデータを受信し、前記データに対応するＰＤＵセッションを決定することは、
前記端末がアクセスネットワーク要素により送信されたデータを受信する時に、前記データからＰＤＵセッションの関連情報を抽出することと、
前記端末が前記ＰＤＵセッションの関連情報に基づいて、前記データに対応するＰＤＵセッションを決定することとを含み、
ここで、前記ＰＤＵセッションの関連情報は、
ＰＤＵセッションの識別情報、ＰＤＵセッションのアドレス情報、ＱｏＳフローの識別情報のうちの少なくとも１つを含む。
【０００６】
本発明の実施例において、前記ＰＤＵセッションの関連情報がＰＤＵセッションの識別情報であり、
前記端末が前記ＰＤＵセッションの関連情報に基づいて、前記データに対応するＰＤＵセッションを決定することは、
前記端末が前記ＰＤＵセッションの識別情報に基づいて、前記データに対応するＰＤＵセッションを決定することを含む。
【０００７】
本発明の実施例において、前記ＰＤＵセッションの関連情報がＰＤＵセッションのアドレス情報であり、
前記端末が前記ＰＤＵセッションの関連情報に基づいて、前記データに対応するＰＤＵセッションを決定することは、
前記端末が前記ＰＤＵセッションのアドレス情報とＰＤＵセッションとの対応関係に基づいて、前記データに対応するＰＤＵセッションを決定することを含む。
【０００８】
本発明の実施例において、前記ＰＤＵセッションの関連情報がＱｏＳフローの識別情報であり、
前記端末が前記ＰＤＵセッションの関連情報に基づいて、前記データに対応するＰＤＵセッションを決定することは、
前記端末が前記ＱｏＳフローの識別情報とＰＤＵセッションとの対応関係に基づいて、前記データに対応するＰＤＵセッションを決定することを含む。
【０００９】
本発明の実施例において、前記方法は、さらに、
ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成することを含む。
【００１０】
本発明の実施例において、前記方法は、さらに、
前記端末は、所定のプロトコルに基づいて、ＰＤＵセッションのアドレス情報とＰＤＵセッションとの対応関係を決定することを含む。
【００１１】
本発明の実施例において、前記方法は、さらに、
ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成することを含む。
【００１２】
本発明の実施例において、前記方法は、さらに、
前記端末は、所定のプロトコルに基づいて、ＱｏＳフローの識別情報とＰＤＵセッションとの対応関係を決定することを含む。
【００１３】
本発明の実施例において、前記端末とアクセスネットワーク要素とコアネットワーク要素とが、対応関係をネゴシエーションして構成することは、
前記端末が前記対応関係を構成し、構成された前記対応関係を前記アクセスネットワーク要素及びコアネットワーク要素に送信すること、又は、
前記端末が前記アクセスネットワーク要素又はコアネットワーク要素により構成された前記対応関係を受信することを含む。
【００１４】
本発明の実施例において、前記ＰＤＵセッションに対応するプロトコル層エンティティに前記データを伝送することは、
前記ＰＤＵセッションに対応するＩＰエンティティ又はＳＭＳＦエンティティに前記データを伝送することを含む。
【００１５】
本発明の実施例におけるデータ伝送方法は、
アクセスネットワーク要素が端末により送信されたデータを受信し、前記データに対応するＰＤＵセッションを決定することと、
前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送することとを含む。
【００１６】
本発明の実施例において、前記アクセスネットワーク要素が端末により送信されたデータを受信し、前記データに対応するＰＤＵセッションを決定するこは、
前記アクセスネットワーク要素が端末により送信されたデータを受信する時に、前記データからＰＤＵセッションの関連情報を抽出することと、
前記アクセスネットワーク要素が前記ＰＤＵセッションの関連情報に基づいて、前記データに対応するＰＤＵセッションを決定することとを含み、
ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００１７】
本発明の実施例において、前記ＰＤＵセッションの関連情報がＰＤＵセッションの識別情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションの識別情報に基づいて、前記データに対応するＰＤＵセッションを決定することを含む。
【００１８】
本発明の実施例において、前記ＰＤＵセッションの関連情報がＰＤＵセッションのアドレス情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションのアドレス情報とＰＤＵセッションとの対応関係に基づいて、前記データに対応するＰＤＵセッションを決定すること、又は、
前記アクセスネットワーク要素が前記ＰＤＵセッションのアドレス情報とＰＤＵセッションチャネルとの対応関係に基づいて、前記データに対応するＰＤＵセッションを決定することを含み、ここで、ＰＤＵセッションチャネルがＰＤＵセッションに一対一対応する。
【００１９】
本発明の実施例において、前記ＰＤＵセッションの関連情報がＱｏＳフローの識別情報であり、
前記アクセスネットワーク要素が前記ＰＤＵセッションの関連情報に基づいて、前記データに対応するＰＤＵセッションを決定することは、
前記アクセスネットワーク要素が前記ＱｏＳフローの識別情報とＰＤＵセッションとの対応関係に基づいて、前記データに対応するＰＤＵセッションを決定することを含む。
【００２０】
本発明の実施例において、前記方法は、さらに、
ＰＤＵセッションを確立又は変更する場合、前記アクセスネットワーク要素と端末とコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成することを含む。
【００２１】
本発明の実施例において、前記方法は、さらに、
前記アクセスネットワーク要素は、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定することを含む。
【００２２】
本発明の実施例において、前記方法は、さらに、
ＰＤＵセッションを確立又は変更する場合、前記アクセスネットワーク要素と端末とコアネットワーク要素とは、ＱｏＳフローの識別情報とＰＤＵセッションとの対応関係をネゴシエーションして構成することを含む。
【００２３】
本発明の実施例において、前記方法は、さらに、
前記アクセスネットワーク要素は、所定のプロトコルに基づいて、ＱｏＳフローの識別情報とＰＤＵセッションとの対応関係を決定することを含む。
【００２４】
本発明の実施例において、前記アクセスネットワーク要素と端末とコアネットワーク要素とが、対応関係をネゴシエーションして構成することは、
前記アクセスネットワーク要素が前記対応関係を構成し、構成された前記対応関係を前記端末及びコアネットワーク要素に送信すること、又は、
前記アクセスネットワーク要素が前記端末又はコアネットワーク要素により構成された前記対応関係を受信することを含む。
【００２５】
本発明の実施例におけるデータ伝送装置は、受信ユニットと、決定ユニットと、伝送ユニットと、を備え、
受信ユニットは、アクセスネットワーク要素により送信されたデータを受信するように構成され、
決定ユニットは、前記データに対応するＰＤＵセッションを決定するように構成され、
伝送ユニットは、前記データに対応するＰＤＵセッションに基づいて、前記ＰＤＵセッションに対応するプロトコル層エンティティに前記データを伝送するように構成される。
【００２６】
本発明の実施例において、前記決定ユニットは、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００２７】
本発明の実施例において、前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される。
【００２８】
本発明の実施例において、前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定するように構成される。
【００２９】
本発明の実施例において、前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される。
【００３０】
本発明の実施例において、前記装置は、さらに、ネゴシエーションユニットを含み、
ネゴシエーションユニットは、ＰＤＵセッションを確立又は変更する場合、アクセスネットワーク要素及びコアネットワーク要素とは、ＰＤＵセッションのアドレス情報とＰＤＵセッションとの対応関係をネゴシエーションして構成するように構成される。
【００３１】
本発明の実施例において、前記決定ユニットは、さらに、所定のプロトコルに基づいて、ＰＤＵセッションのアドレス情報とＰＤＵセッションとの対応関係を決定するように構成される。
【００３２】
本発明の実施例において、前記装置は、さらに、ネゴシエーションユニットを含み、
ネゴシエーションユニットは、ＰＤＵセッションを確立又は変更する場合、アクセスネットワーク要素及びコアネットワーク要素とは、ＱｏＳフローの識別情報とＰＤＵセッションとの対応関係をネゴシエーションして構成するように構成される。
【００３３】
本発明の実施例において、前記決定ユニットは、さらに、所定のプロトコルに基づいて、ＱｏＳフローの識別情報とＰＤＵセッションとの対応関係を決定するように構成される。
【００３４】
本発明の実施例において、前記ネゴシエーションユニットは、前記対応関係を構成し、構成された前記対応関係を前記アクセスネットワーク要素及びコアネットワーク要素に送信し、又は、前記アクセスネットワーク要素又はコアネットワーク要素により構成された前記対応関係を受信するように構成される。
【００３５】
本発明の実施例において、前記伝送ユニットは、前記ＰＤＵセッションに対応するＩＰエンティティ又はＳＭＳＦエンティティに前記データを伝送するように構成される。
【００３６】
本発明の実施例におけるデータ伝送装置は、受信ユニットと、決定ユニットと、伝送ユニットと、を備え、
受信ユニットは、端末により送信されたデータを受信するように構成され、
決定ユニットは、前記データに対応するＰＤＵセッションを決定するように構成され、
伝送ユニットは、前記データに対応するＰＤＵセッションに基づいて、前記ＰＤＵセッションに対応するチャネルに前記データを伝送し、前記チャネルに基づいて前記データをコアネットワーク要素に伝送するように構成される。
【００３７】
本発明の実施例において、前記決定ユニットは、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００３８】
本発明の実施例において、前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される。
【００３９】
本発明の実施例において、前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定するように構成され、ここで、ＰＤＵセッションチャネルがＰＤＵセッションに一対一対応する。
【００４０】
本発明の実施例において、前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される。
【００４１】
本発明の実施例において、前記装置は、さらに、ネゴシエーションユニットを含み、
ネゴシエーションユニットは、ＰＤＵセッションを確立又は変更する場合、端末及びコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成するように構成される。
【００４２】
本発明の実施例において、前記決定ユニットは、さらに、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定することを含む。
【００４３】
本発明の実施例において、前記装置は、さらに、
ネゴシエーションユニットは、ＰＤＵセッションを確立又は変更する場合、端末及びコアネットワーク要素とは、ＱｏＳフローの識別情報とＰＤＵセッションとの対応関係をネゴシエーションして構成するように構成される。
【００４４】
本発明の実施例において、前記決定ユニットは、さらに、所定のプロトコルに基づいて、ＱｏＳフローの識別情報とＰＤＵセッションとの対応関係を決定するように構成される。
【００４５】
本発明の実施例において、前記ネゴシエーションユニットは、前記対応関係を構成し、構成された前記対応関係を前記端末及びコアネットワーク要素に送信し、又は、前記端末又はコアネットワーク要素により構成された前記対応関係を受信するように構成される。
【００４６】
本発明の実施例は、プロセッサによって実行されると、上記のデータ伝送方法を実現するコンピュータ実行可能命令を記憶したコンピュータ記憶媒体を提供する。
【００４７】
本発明の実施例における技術案において、端末がアクセスネットワーク要素により送信されたデータを受信し、前記データに対応するＰＤＵセッションを決定し、前記端末が前記データに対応するＰＤＵセッションに基づいて、前記ＰＤＵセッションに対応するプロトコル層エンティティに前記データを伝送する。同様、アクセスネットワーク要素が端末により送信されたデータを受信し、前記データに対応するＰＤＵセッションを決定し、前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送する。本発明の実施例に係る技術案を用い、データ受信側(例えば、端末又はアクセスネットワーク要素)は、受信したデータをＰＤＵセッションに対応するＩＰエンティティ又はチャネルに正しく受け渡すことができ、データの円滑な伝送を確保する。
【図面の簡単な説明】
【００４８】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】ＰＤＵセッションチャネルの模式図である。
【図２】本発明の実施例における５Ｇネットワークのシステムアーキテクチャ構成図である。
【図３】本発明の実施例におけるデータ伝送方法のフローチャート一である。
【図４】本発明の実施例におけるデータ伝送方法のフローチャート二である。
【図５】本発明の実施例におけるデータ伝送装置の構成図である。
【図６】本発明の実施例におけるコンピュータ装置の構成図である。
【発明を実施するための形態】
【００４９】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００５０】
図２に示すように、本発明の実施例に係る５Ｇネットワークシステムに含まれる装置は、
端末( ＵＥ、Ｕｓｅｒ Ｅｑｕｉｐｍｅｎｔ )、無線アクセスネットワーク( ＲＡＮ、Ｒａｄｉｏ Ａｃｃｅｓｓ Ｎｅｔｗｏｒｋ )、ユーザプレーン機能( ＵＰＦ、Ｕｓｅｒ Ｐｌａｎｅ Ｆｕｎｃｔｉｏｎ )、データネットワーク( ＤＮ、Ｄａｔａ Ｎｅｔｗｏｒｋ )、受信コアアクセス＆モビリティ管理機能( ＡＭＦ、Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ )、セッション管理機能( ＳＭＦ、Ｓｅｓｓｉｏｎ Ｍａｎａｇｅｍｅｎｔ Ｆｕｎｃｔｉｏｎ )、ポリシー制御機能( ＰＣＦ、Ｐｏｌｉｃｙ Ｃｏｎｔｒｏｌ ｆｕｎｃｔｉｏｎ )、アプリケーション機能( ＡＦ、Ａｐｐｌｉｃａｔｉｏｎ Ｆｕｎｃｔｉｏｎ )、認証サーバ機能( ＡＵＳＦ、Ａｕｔｈｅｎｔｉｃａｔｉｏｎ Ｓｅｒｖｅｒ Ｆｕｎｃｔｉｏｎ )、統合データ管理( ＵＤＭ、Ｕｎｉｆｉｅｄ Ｄａｔａ Ｍａｎａｇｅｍｅｎｔ )を含む。
【００５１】
５Ｇシステムにおいて、各ＵＥは、１つ以上のＰＤＵセッションを確立することができ、各ＰＤＵセッションは、複数のＱｏＳフローを含むことができる。
【００５２】
上記図２は、本発明の実施例を実現するネットワークアーキテクチャの一例であり、本発明の実施例は、上記図２に記載されたネットワーク構成に限定されない。
【００５３】
図３は、本発明の実施例に係るデータ伝送方法のフローチャート一であり、図３に示すように、前記データ伝送方法は、以下のステップを含む。
【００５４】
ステップ３０１において、端末がアクセスネットワーク要素により送信されたデータを受信し、前記データに対応するＰＤＵセッションを決定する。
【００５５】
本発明の実施例において、端末は、携帯電話、タブレット、ノート型パソコン、デスクトップ型パソコンなど、ネットワークと通信可能な任意のデバイスであってよい。
【００５６】
本発明の実施例において、アクセスネットワーク要素が下りデータを端末に送信する時、このデータにＰＤＵセッションの関連情報が含まれ、ここで、ＰＤＵセッションの関連情報は、ＰＤＵセッションの識別情報、ＰＤＵセッションのアドレス情報、ＱｏＳフローの識別情報のうちの少なくとも１つを含む。
【００５７】
これにより、前記端末がアクセスネットワーク要素により送信されたデータを受信する時に、前記データからＰＤＵセッションの関連情報を抽出し、前記端末が前記ＰＤＵセッションの関連情報に基づいて、前記データに対応するＰＤＵセッションを決定する。
【００５８】
以下、ＰＤＵセッションの関連情報の異なる実現方式により、前記データに対応するＰＤＵセッションをどのように決定することを説明する。
【００５９】
１）ＰＤＵセッションの関連情報がＰＤＵセッションの識別情報である。
端末は、アクセスネットワーク要素により送信されたデータを受信した場合、前記ＰＤＵセッションの識別情報に基づいて、前記データに対応するＰＤＵセッションを決定する。
【００６０】
２）ＰＤＵセッションの関連情報がＰＤＵセッションのアドレス情報である。
端末は、アクセスネットワーク要素により送信されたデータを受信した場合、前記ＰＤＵセッションのアドレス情報とＰＤＵセッションとの対応関係に基づいて、前記データに対応するＰＤＵセッションを決定する。
【００６１】
例えば、端末は、アクセスネットワーク要素により送信されたＩＰデータパケットを受信し、このＩＰデータパケット内のアドレス情報に基づいて、対応するＰＤＵセッションを決定し、ＩＰデータパケットを対応する上位層エンティティ（例えば、ＩＰエンティティ）に提供する。
【００６２】
３）ＰＤＵセッションの関連情報がＱｏＳフローの識別情報である。
端末は、アクセスネットワーク要素により送信されたデータを受信した場合、前記ＱｏＳフローの識別情報とＰＤＵセッションとの対応関係に基づいて、前記データに対応するＰＤＵセッションを決定する。
【００６３】
上記の２）に記載されるＰＤＵセッションのアドレス情報とＰＤＵセッションとの対応関係は、以下の方式で決定される。
【００６４】
方式一（ネゴシエーションして構成する）として、ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成する。
【００６５】
ここで、ネゴシエーションして構成することは、１）前記端末が前記対応関係を構成し、構成された前記対応関係を前記アクセスネットワーク要素及びコアネットワーク要素に送信すること、又は、２）前記端末が前記アクセスネットワーク要素又はコアネットワーク要素により構成された前記対応関係を受信することであってもよい。
【００６６】
方式二（プロトコルで約定）として、前記端末は、所定のプロトコルに基づいて、ＰＤＵセッションのアドレス情報とＰＤＵセッションとの対応関係を決定する。
【００６７】
同様に、以上の３）に記載されるＱｏＳフローの識別情報とＰＤＵセッションとの対応関係は、以下の方式で決定される。
【００６８】
方式一（ネゴシエーションして構成する）として、ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成する。
【００６９】
ここで、ネゴシエーションして構成することは、１）前記端末が前記対応関係を構成し、構成された前記対応関係を前記アクセスネットワーク要素及びコアネットワーク要素に送信すること、又は、２）前記端末が前記アクセスネットワーク要素又はコアネットワーク要素により構成された前記対応関係を受信することであってもよい。
【００７０】
方式二（プロトコルで約定）として、前記端末は、所定のプロトコルに基づいて、ＱｏＳフローの識別情報とＰＤＵセッションとの対応関係を決定する。
【００７１】
ステップ３０２において、前記端末が前記データに対応するＰＤＵセッションに基づいて、前記ＰＤＵセッションに対応するプロトコル層エンティティに前記データを伝送する。
【００７２】
ここで、端末は、データに対応するＰＤＵセッションを決定した後、前記ＰＤＵセッションに対応するプロトコル層エンティティに前記データを伝送し、ここで、プロトコル層エンティティは、ＩＰエンティティまたはＳＭＳＦエンティティのような上位層エンティティ(受信されたデータの下位層エンティティに対して)である。
【００７３】
図４は本発明の実施例におけるデータ伝送方法のフローチャート二であり、図４に示すように、前記データ伝送方法は、以下のステップを含む。
【００７４】
ステップ４０１において、アクセスネットワーク要素が端末により送信されたデータを受信し、前記データに対応するＰＤＵセッションを決定する。
【００７５】
本発明の実施例において、端末が上りデータをアクセスネットワーク要素に送信する時に、このデータにＰＤＵセッションの関連情報を含めて、ここで、ＰＤＵセッションの関連情報包括は、ＰＤＵセッションの識別情報、ＰＤＵセッションのアドレス情報、ＱｏＳフローの識別情報のうちの少なくとも１つを含む。
【００７６】
これにより、前記アクセスネットワーク要素が端末により送信されたデータを受信する時に、前記データからＰＤＵセッションの関連情報を抽出し、前記アクセスネットワーク要素が前記ＰＤＵセッションの関連情報に基づいて、前記データに対応するＰＤＵセッションを決定する。
【００７７】
以下、ＰＤＵセッションの関連情報の異なる実現方式に基づいて、前記データに対応するＰＤＵセッションをどのに決定することを説明する。
【００７８】
１）ＰＤＵセッションの関連情報がＰＤＵセッションの識別情報である。
アクセスネットワーク要素は、端末により送信されたデータを受信した場合、前記ＰＤＵセッションの識別情報に基づいて、前記データに対応するＰＤＵセッションを決定する。
【００７９】
２）ＰＤＵセッションの関連情報がＰＤＵセッションのアドレス情報である。
アクセスネットワーク要素は、端末により送信されたデータを受信した場合、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定し、ここで、ＰＤＵセッションチャネルがＰＤＵセッションに一対一対応する。
【００８０】
例えば、アクセスネットワーク要素は、端末により送信されたＩＰデータパケットを受信し、このＩＰデータパケット内のアドレス情報に基づいて対応するＰＤＵセッション又はＰＤＵセッションチャネルを決定し、このＩＰデータパケットを対応するチャネルに提供する。
【００８１】
３）ＰＤＵセッションの関連情報がＱｏＳフローの識別情報である。
アクセスネットワーク要素は、端末により送信されたデータを受信した場合、前記ＱｏＳフローの識別情報とＰＤＵセッションとの対応関係に基づいて、前記データに対応するＰＤＵセッションを決定する。
【００８２】
上記の２）に記載されるＰＤＵセッションのアドレス情報とＰＤＵセッションとの対応関係、及びＰＤＵセッションのアドレス情報とＰＤＵセッションチャネルとの対応関係は、以下の方式により決定される。
【００８３】
方式一（ネゴシエーションして構成する）として、ＰＤＵセッションを確立又は変更する場合、前記アクセスネットワーク要素と端末とコアネットワーク要素とは、ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成することを含む。
【００８４】
ここで、ネゴシエーションして構成することは、１）前記アクセスネットワーク要素が前記対応関係を構成し、構成された前記対応関係を前記端末及びコアネットワーク要素に送信すること、又は、２）前記アクセスネットワーク要素が前記端末又はコアネットワーク要素により構成された前記対応関係を受信することであってもよい。
【００８５】
方式二（プロトコルで約定）として、前記アクセスネットワーク要素は、所定のプロトコルに基づいて、ＰＤＵセッションのアドレス情報とＰＤＵセッションとの対応関係、ＰＤＵセッションのアドレス情報とＰＤＵセッションチャネルとの対応関係のうちの少なくとも１つを決定する。
【００８６】
同様、上記の３）に記載されるＱｏＳフローの識別情報とＰＤＵセッションとの対応関係は、以下の方式により決定される。
【００８７】
方式一（ネゴシエーションして構成する）として、ＰＤＵセッションを確立又は変更する場合、前記アクセスネットワーク要素と端末とコアネットワーク要素とは、ＱｏＳフローの識別情報とＰＤＵセッションとの対応関係をネゴシエーションして構成する。
【００８８】
ここで、ネゴシエーションして構成することは、１）前記アクセスネットワーク要素が前記対応関係を構成し、構成された前記対応関係を前記端末及びコアネットワーク要素に送信すること、又は、２）前記アクセスネットワーク要素が前記端末又はコアネットワーク要素により構成された前記対応関係を受信することであってもよい。
【００８９】
方式二（プロトコルで約定）として、アクセスネットワーク要素は、所定のプロトコルに基づいて、ＱｏＳフローの識別情報とＰＤＵセッションとの対応関係を決定する。
【００９０】
ステップ４０２において、前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送する。
【００９１】
ここで、アクセスネットワーク要素は、データに対応するＰＤＵセッションを決定した後、前記データを前記ＰＤＵセッションに対応するチャネルに伝送する。
【００９２】
図５は、本発明の実施例におけるデータ伝送装置の構成を示す図であり、本実施例によるデータ伝送装置は、端末に設けられてもよいし、ネットワーク側のアクセスネットワーク要素に設けられてもよい。以下、端末におけるデータ伝送装置、及びアクセスネットワークにおけるデータ伝送装置についてそれぞれ説明する。
【００９３】
１）端末におけるデータ伝送装置は、受信ユニット５０１、決定ユニット５０２及び伝送ユニット５０３を含み
受信ユニット５０１は、アクセスネットワーク要素により送信されたデータを受信するように構成され、
決定ユニット５０２は、前記データに対応するＰＤＵセッションを決定するように構成され、
伝送ユニット５０３は、前記データに対応するＰＤＵセッションに基づいて、前記ＰＤＵセッションに対応するプロトコル層エンティティに前記データを伝送するように構成される。
【００９４】
ある実施例において、前記決定ユニット５０２は、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００９５】
ある実施例において、前記ＰＤＵセッションの関連情報がＰＤＵセッションの識別情報であり、
前記決定ユニット５０２は、前記ＰＤＵセッションの識別情報に基づいて、前記データに対応するＰＤＵセッションを決定するように構成される。
【００９６】
ある実施例において、前記ＰＤＵセッションの関連情報がＰＤＵセッションのアドレス情報であり、
前記決定ユニット５０２は、前記ＰＤＵセッションのアドレス情報とＰＤＵセッションとの対応関係に基づいて、前記データに対応するＰＤＵセッションを決定するように構成される。
【００９７】
ある実施例において、前記ＰＤＵセッションの関連情報がＱｏＳフローの識別情報であり、
前記決定ユニット５０２は、前記ＱｏＳフローの識別情報とＰＤＵセッションとの対応関係に基づいて、前記データに対応するＰＤＵセッションを決定するように構成される。
【００９８】
ある実施例において、前記装置は、さらに、ネゴシエーションユニット５０４を含み、
ネゴシエーションユニット５０４は、ＰＤＵセッションを確立又は変更する場合、アクセスネットワーク要素及びコアネットワーク要素とは、ＰＤＵセッションのアドレス情報とＰＤＵセッションとの対応関係をネゴシエーションして構成するように構成される。
【００９９】
ある実施例において、前記決定ユニット５０２は、さらに、所定のプロトコルに基づいて、ＰＤＵセッションのアドレス情報とＰＤＵセッションとの対応関係を決定するように構成される。
【０１００】
ある実施例において、前記装置は、さらに、ネゴシエーションユニット５０４を含み、
ネゴシエーションユニット５０４は、ＰＤＵセッションを確立又は変更する場合、アクセスネットワーク要素及びコアネットワーク要素とは、ＱｏＳフローの識別情報とＰＤＵセッションとの対応関係をネゴシエーションして構成するように構成される。
【０１０１】
ある実施例において、前記決定ユニット５０２は、さらに、所定のプロトコルに基づいて、ＱｏＳフローの識別情報とＰＤＵセッションとの対応関係を決定するように構成される。
【０１０２】
ある実施例において、前記ネゴシエーションユニット５０４は、前記対応関係を構成し、構成された前記対応関係を前記アクセスネットワーク要素及びコアネットワーク要素を送信し、又は、前記アクセスネットワーク要素又はコアネットワーク要素により構成された前記対応関係を受信するように構成される。
【０１０３】
上記の技術案において、前記伝送ユニット５０３は、前記ＰＤＵセッションに対応するＩＰエンティティ又はＳＭＳＦエンティティに前記データを伝送するように構成される。
【０１０４】
２）アクセスネットワーク要素におけるデータ伝送装置は、受信ユニット５０１、決定ユニット５０２及び伝送ユニット５０３を含み、
受信ユニット５０１は、端末により送信されたデータを受信するように構成され、
決定ユニット５０２は、前記データに対応するＰＤＵセッションを決定するように構成され、
伝送ユニット５０３は、前記データに対応するＰＤＵセッションに基づいて、前記ＰＤＵセッションに対応するチャネルに前記データを伝送し、前記チャネルに基づいて前記データをコアネットワーク要素に伝送するように構成される。
【０１０５】
ある実施例において、前記決定ユニット５０２は、前記データからＰＤＵセッションの関連情報を抽出し、前記ＰＤＵセッションの関連情報に基づいて、前記データに対応するＰＤＵセッションを決定し、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【０１０６】
ある実施例において、前記ＰＤＵセッションの関連情報がＰＤＵセッションの識別情報であり、
前記決定ユニット５０２は、前記ＰＤＵセッションの識別情報に基づいて、前記データに対応するＰＤＵセッションを決定するように構成される。
【０１０７】
ある実施例において、前記ＰＤＵセッションの関連情報がＰＤＵセッションのアドレス情報であり、
前記決定ユニット５０２は、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定するように構成され、ここで、ＰＤＵセッションチャネルがＰＤＵセッションに一対一対応する。
【０１０８】
ある実施例において、前記ＰＤＵセッションの関連情報がＱｏＳフローの識別情報であり、
前記決定ユニット５０２は、前記ＱｏＳフローの識別情報とＰＤＵセッションとの対応関係に基づいて、前記データに対応するＰＤＵセッションを決定するように構成される。
【０１０９】
ある実施例において、前記装置は、さらに、ネゴシエーションユニット５０４を含み、
ネゴシエーションユニット５０４は、ＰＤＵセッションを確立又は変更する場合、端末及びコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成するように構成される。
【０１１０】
ある実施例において、前記決定ユニット５０２は、さらに、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定するように構成される。
【０１１１】
ある実施例において、前記装置は、さらに、
ネゴシエーションユニット５０４は、ＰＤＵセッションを確立又は変更する場合、端末及びコアネットワーク要素とは、ＱｏＳフローの識別情報とＰＤＵセッションとの対応関係をネゴシエーションして構成するように構成される。
【０１１２】
ある実施例において、前記決定ユニット５０２は、さらに、所定のプロトコルに基づいて、ＱｏＳフローの識別情報とＰＤＵセッションとの対応関係を決定するように構成される。
【０１１３】
ある実施例において、前記ネゴシエーションユニット５０４は、前記対応関係を構成し、構成された前記対応関係を前記端末及びコアネットワーク要素に送信し、又は、前記端末又はコアネットワーク要素により構成された前記対応関係を受信するように構成される。
【０１１４】
図５に示したデータ伝送装置の各ユニットの実現機能は、上記データ伝送方法の説明を参酌して理解されるべきである。図５に示すデータ伝送装置における各ユニットの機能は、プロセッサ上で動作するプログラムによって実現されてもよいし、具体的な論理回路によって実現されてもよい。
【０１１５】
本発明の実施例に係る上記データ伝送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０１１６】
従って、本発明の実施例は、プロセッサによって実行されたときに本発明の実施例の上述のデータ伝送方法を実現するコンピュータ実行可能命令を記憶したコンピュータ記憶媒体をさらに提供する。
【０１１７】
図６は、本発明の実施例によるコンピュータデバイスの構成を示す図であり、本発明の実施例によるコンピュータデバイスは、端末であっても、ネットワークデバイス(例えば、アクセスネットワークセル)であってもよく、図６に示すように、コンピュータデバイス１００は、１つ又は複数(図には１つのみ示す)のプロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含んでもよいが、これらに限定されない)、データを格納するためのメモリ１００４、及び通信機能のための伝送装置１００６を含んでもよい。図６に示す構成は、例示であり、上述した電子装置の構成に限定されないことは、当業者に理解されるところである。例えば、コンピュータ装置１００は、図６に示されるよりも多いか少ない構成要素をさらに含んでもよく、又は図６に示されるものとは異なる構成を有してもよい。
【０１１８】
メモリ１００４は、本発明の実施例に係るデータ伝送方法に対応するプログラム命令/モジュールのようなアプリケーションのソフトウェアプログラム及びモジュールを格納するために使用され、プロセッサ１００２は、メモリ１００４に格納されたソフトウェアプログラム及びモジュールを実行することによって、様々な機能アプリケーション及びデータ処理を実行する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１１９】
伝送装置１００６は、ネットワークを介してデータを送受信するための装置である。上記のネットワークの具体例は、コンピュータ装置１００の通信プロバイダが提供する無線ネットワークを含んでもよい。一例において、送信装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、送信装置１００６は、無線方式でインターネットと通信するための無線周波数( ＲＦ、Ｒａｄｉｏ Ｆｒｅｑｕｅｎｃｙ )モジュールであり得る。
【０１２０】
本発明の実施例に記載した技術的手段は、矛盾なき限り、任意に組み合わせることができる。
【０１２１】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１２２】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０１２３】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよく、上記の統合されたユニットは、ハードウェアの形態で実現されてもよいし、ハードウェア及びソフトウェア機能ユニットの形態で実現されてもよい。
【０１２４】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021513758.tif 000003
【図２】
2021513758.tif 000004
【図３】
2021513758.tif 000005
【図４】
2021513758.tif 000006
【図５】
2021513758.tif 000007
【図６】
2021513758.tif 000008
【手続補正書】
【提出日】令和2年11月25日(2020.11.25)
【手続補正１】
【補正対象書類名】明細書
【補正対象項目名】全文
【補正方法】変更
【補正の内容】
【発明の詳細な説明】
【技術分野】
【０００１】
本発明は、無線通信技術分野に関し、特に、データ伝送方法、装置及びコンピュータ記憶媒体に関する。
【背景技術】
【０００２】
第５世代移動通信( ５Ｇ、５ｔｈ Ｇｅｎｅｒａｔｉｏｎ )システムにおいて、各端末は、１つ以上のプロトコルデータユニット( ＰＤＵ、Ｐｒｏｔｏｃｏｌ Ｄａｔａ Ｕｎｉｔ )セッションを確立することができ、各ＰＤＵセッションは、複数のサービス品質フロー( ＱｏＳ ｆｌｏｗ、Ｑｕａｌｉｔｙ ｏｆ Ｓｅｒｖｉｃｅ ｆｌｏｗ )を含むことができ、ここで、ＱｏＳフローは、ＰＤＵセッション内で一意に識別される。図１に示すように、アクセスネットワークとコアネットワークとの接続では、ＰＤＵセッション毎に１本のチャネルが割り当てられることになり、ＰＤＵセッションチャネルと呼ばれる。
【０００３】
従来技術では、端末が送信したデータをアクセスネットワークが受信すると、そのデータがどのＱｏＳフローに属するかを認識することができるが、そのデータがどのＰＤＵセッションに属するかを認識することができず、アクセスネットワークは、どのチャネルにデータを渡すかを知らない。同様に、端末は、アクセスネットワークが送信したデータを受信すると、そのデータがどのＰＤＵセッションに属するかを認識することができず、どのＩＰエンティティにデータを渡したのか分からない。
【発明の概要】
【０００４】
本発明の実施例は、上記課題を解決するために、データ伝送方法、装置及びコンピュータ記憶媒体を提供する
本発明の実施例におけるデータ伝送方法は、
端末がアクセスネットワーク要素により送信されたデータを受信し、前記データに対応するＰＤＵセッションを決定することと、
前記端末が前記データに対応するＰＤＵセッションに基づいて、前記ＰＤＵセッションに対応するプロトコル層エンティティに前記データを伝送することとを含む。
【０００５】
本発明の実施例において、前記端末がアクセスネットワーク要素により送信されたデータを受信し、前記データに対応するＰＤＵセッションを決定することは、
前記端末がアクセスネットワーク要素により送信されたデータを受信する時に、前記データからＰＤＵセッションの関連情報を抽出することと、
前記端末が前記ＰＤＵセッションの関連情報に基づいて、前記データに対応するＰＤＵセッションを決定することとを含み、
ここで、前記ＰＤＵセッションの関連情報は、
ＰＤＵセッションの識別情報、ＰＤＵセッションのアドレス情報、ＱｏＳフローの識別情報のうちの少なくとも１つを含む。
【０００６】
本発明の実施例において、前記ＰＤＵセッションの関連情報がＰＤＵセッションの識別情報であり、
前記端末が前記ＰＤＵセッションの関連情報に基づいて、前記データに対応するＰＤＵセッションを決定することは、
前記端末が前記ＰＤＵセッションの識別情報に基づいて、前記データに対応するＰＤＵセッションを決定することを含む。
【０００７】
本発明の実施例において、前記ＰＤＵセッションの関連情報がＰＤＵセッションのアドレス情報であり、
前記端末が前記ＰＤＵセッションの関連情報に基づいて、前記データに対応するＰＤＵセッションを決定することは、
前記端末が前記ＰＤＵセッションのアドレス情報とＰＤＵセッションとの対応関係に基づいて、前記データに対応するＰＤＵセッションを決定することを含む。
【０００８】
本発明の実施例において、前記ＰＤＵセッションの関連情報がＱｏＳフローの識別情報であり、
前記端末が前記ＰＤＵセッションの関連情報に基づいて、前記データに対応するＰＤＵセッションを決定することは、
前記端末が前記ＱｏＳフローの識別情報とＰＤＵセッションとの対応関係に基づいて、前記データに対応するＰＤＵセッションを決定することを含む。
【０００９】
本発明の実施例において、前記方法は、さらに、
ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成することを含む。
【００１０】
本発明の実施例において、前記方法は、さらに、
前記端末は、所定のプロトコルに基づいて、ＰＤＵセッションのアドレス情報とＰＤＵセッションとの対応関係を決定することを含む。
【００１１】
本発明の実施例において、前記方法は、さらに、
ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成することを含む。
【００１２】
本発明の実施例において、前記方法は、さらに、
前記端末は、所定のプロトコルに基づいて、ＱｏＳフローの識別情報とＰＤＵセッションとの対応関係を決定することを含む。
【００１３】
本発明の実施例において、前記端末とアクセスネットワーク要素とコアネットワーク要素とが、対応関係をネゴシエーションして構成することは、
前記端末が前記対応関係を構成し、構成された前記対応関係を前記アクセスネットワーク要素及びコアネットワーク要素に送信すること、又は、
前記端末が前記アクセスネットワーク要素又はコアネットワーク要素により構成された前記対応関係を受信することを含む。
【００１４】
本発明の実施例において、前記ＰＤＵセッションに対応するプロトコル層エンティティに前記データを伝送することは、
前記ＰＤＵセッションに対応するＩＰエンティティ又はＳＭＳＦエンティティに前記データを伝送することを含む。
【００１５】
本発明の実施例におけるデータ伝送方法は、
アクセスネットワーク要素が端末により送信されたデータを受信し、前記データに対応するＰＤＵセッションを決定することと、
前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送することとを含む。
【００１６】
本発明の実施例において、前記アクセスネットワーク要素が端末により送信されたデータを受信し、前記データに対応するＰＤＵセッションを決定するこは、
前記アクセスネットワーク要素が端末により送信されたデータを受信する時に、前記データからＰＤＵセッションの関連情報を抽出することと、
前記アクセスネットワーク要素が前記ＰＤＵセッションの関連情報に基づいて、前記データに対応するＰＤＵセッションを決定することとを含み、
ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００１７】
本発明の実施例において、前記ＰＤＵセッションの関連情報がＰＤＵセッションの識別情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションの識別情報に基づいて、前記データに対応するＰＤＵセッションを決定することを含む。
【００１８】
本発明の実施例において、前記ＰＤＵセッションの関連情報がＰＤＵセッションのアドレス情報であり、
前記アクセスネットワーク要素が前記ＰＤＵセッションの関連情報に基づいて、前記データに対応するＰＤＵセッションを決定することは、
前記アクセスネットワーク要素が前記ＰＤＵセッションのアドレス情報とＰＤＵセッションとの対応関係に基づいて、前記データに対応するＰＤＵセッションを決定すること、又は、
前記アクセスネットワーク要素が前記ＰＤＵセッションのアドレス情報とＰＤＵセッションチャネルとの対応関係に基づいて、前記データに対応するＰＤＵセッションを決定することを含み、ここで、ＰＤＵセッションチャネルがＰＤＵセッションに一対一対応する。
【００１９】
本発明の実施例において、前記ＰＤＵセッションの関連情報がＱｏＳフローの識別情報であり、
前記アクセスネットワーク要素が前記ＰＤＵセッションの関連情報に基づいて、前記データに対応するＰＤＵセッションを決定することは、
前記アクセスネットワーク要素が前記ＱｏＳフローの識別情報とＰＤＵセッションとの対応関係に基づいて、前記データに対応するＰＤＵセッションを決定することを含む。
【００２０】
本発明の実施例において、前記方法は、さらに、
ＰＤＵセッションを確立又は変更する場合、前記アクセスネットワーク要素と端末とコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成することを含む。
【００２１】
本発明の実施例において、前記方法は、さらに、
前記アクセスネットワーク要素は、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定することを含む。
【００２２】
本発明の実施例において、前記方法は、さらに、
ＰＤＵセッションを確立又は変更する場合、前記アクセスネットワーク要素と端末とコアネットワーク要素とは、ＱｏＳフローの識別情報とＰＤＵセッションとの対応関係をネゴシエーションして構成することを含む。
【００２３】
本発明の実施例において、前記方法は、さらに、
前記アクセスネットワーク要素は、所定のプロトコルに基づいて、ＱｏＳフローの識別情報とＰＤＵセッションとの対応関係を決定することを含む。
【００２４】
本発明の実施例において、前記アクセスネットワーク要素と端末とコアネットワーク要素とが、対応関係をネゴシエーションして構成することは、
前記アクセスネットワーク要素が前記対応関係を構成し、構成された前記対応関係を前記端末及びコアネットワーク要素に送信すること、又は、
前記アクセスネットワーク要素が前記端末又はコアネットワーク要素により構成された前記対応関係を受信することを含む。
【００２５】
本発明の実施例におけるデータ伝送装置は、受信ユニットと、決定ユニットと、伝送ユニットと、を備え、
受信ユニットは、アクセスネットワーク要素により送信されたデータを受信するように構成され、
決定ユニットは、前記データに対応するＰＤＵセッションを決定するように構成され、
伝送ユニットは、前記データに対応するＰＤＵセッションに基づいて、前記ＰＤＵセッションに対応するプロトコル層エンティティに前記データを伝送するように構成される。
【００２６】
本発明の実施例において、前記決定ユニットは、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００２７】
本発明の実施例において、前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される。
【００２８】
本発明の実施例において、前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定するように構成される。
【００２９】
本発明の実施例において、前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される。
【００３０】
本発明の実施例において、前記装置は、さらに、ネゴシエーションユニットを含み、
ネゴシエーションユニットは、ＰＤＵセッションを確立又は変更する場合、アクセスネットワーク要素及びコアネットワーク要素とは、ＰＤＵセッションのアドレス情報とＰＤＵセッションとの対応関係をネゴシエーションして構成するように構成される。
【００３１】
本発明の実施例において、前記決定ユニットは、さらに、所定のプロトコルに基づいて、ＰＤＵセッションのアドレス情報とＰＤＵセッションとの対応関係を決定するように構成される。
【００３２】
本発明の実施例において、前記装置は、さらに、ネゴシエーションユニットを含み、
ネゴシエーションユニットは、ＰＤＵセッションを確立又は変更する場合、アクセスネットワーク要素及びコアネットワーク要素とは、ＱｏＳフローの識別情報とＰＤＵセッションとの対応関係をネゴシエーションして構成するように構成される。
【００３３】
本発明の実施例において、前記決定ユニットは、さらに、所定のプロトコルに基づいて、ＱｏＳフローの識別情報とＰＤＵセッションとの対応関係を決定するように構成される。
【００３４】
本発明の実施例において、前記ネゴシエーションユニットは、前記対応関係を構成し、構成された前記対応関係を前記アクセスネットワーク要素及びコアネットワーク要素に送信し、又は、前記アクセスネットワーク要素又はコアネットワーク要素により構成された前記対応関係を受信するように構成される。
【００３５】
本発明の実施例において、前記伝送ユニットは、前記ＰＤＵセッションに対応するＩＰエンティティ又はＳＭＳＦエンティティに前記データを伝送するように構成される。
【００３６】
本発明の実施例におけるデータ伝送装置は、受信ユニットと、決定ユニットと、伝送ユニットと、を備え、
受信ユニットは、端末により送信されたデータを受信するように構成され、
決定ユニットは、前記データに対応するＰＤＵセッションを決定するように構成され、
伝送ユニットは、前記データに対応するＰＤＵセッションに基づいて、前記ＰＤＵセッションに対応するチャネルに前記データを伝送し、前記チャネルに基づいて前記データをコアネットワーク要素に伝送するように構成される。
【００３７】
本発明の実施例において、前記決定ユニットは、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【００３８】
本発明の実施例において、前記ＰＤＵセッションの関連情報がＰＤＵセッションの識別情報であり、
前記決定ユニットは、前記ＰＤＵセッションの識別情報に基づいて、前記データに対応するＰＤＵセッションを決定するように構成される。
【００３９】
本発明の実施例において、前記ＰＤＵセッションの関連情報がＰＤＵセッションのアドレス情報であり、
前記決定ユニットは、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定するように構成され、ここで、ＰＤＵセッションチャネルがＰＤＵセッションに一対一対応する。
【００４０】
本発明の実施例において、前記ＰＤＵセッションの関連情報がＱｏＳフローの識別情報であり、
前記決定ユニットは、前記ＱｏＳフローの識別情報とＰＤＵセッションとの対応関係に基づいて、前記データに対応するＰＤＵセッションを決定するように構成される。
【００４１】
本発明の実施例において、前記装置は、さらに、ネゴシエーションユニットを含み、
ネゴシエーションユニットは、ＰＤＵセッションを確立又は変更する場合、端末及びコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成するように構成される。
【００４２】
本発明の実施例において、前記決定ユニットは、さらに、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定することを含む。
【００４３】
本発明の実施例において、前記装置は、さらに、
ネゴシエーションユニットは、ＰＤＵセッションを確立又は変更する場合、端末及びコアネットワーク要素とは、ＱｏＳフローの識別情報とＰＤＵセッションとの対応関係をネゴシエーションして構成するように構成される。
【００４４】
本発明の実施例において、前記決定ユニットは、さらに、所定のプロトコルに基づいて、ＱｏＳフローの識別情報とＰＤＵセッションとの対応関係を決定するように構成される。
【００４５】
本発明の実施例において、前記ネゴシエーションユニットは、前記対応関係を構成し、構成された前記対応関係を前記端末及びコアネットワーク要素に送信し、又は、前記端末又はコアネットワーク要素により構成された前記対応関係を受信するように構成される。
【００４６】
本発明の実施例は、プロセッサによって実行されると、上記のデータ伝送方法を実現するコンピュータ実行可能命令を記憶したコンピュータ記憶媒体を提供する。
【００４７】
本発明の実施例における技術案において、端末がアクセスネットワーク要素により送信されたデータを受信し、前記データに対応するＰＤＵセッションを決定し、前記端末が前記データに対応するＰＤＵセッションに基づいて、前記ＰＤＵセッションに対応するプロトコル層エンティティに前記データを伝送する。同様、アクセスネットワーク要素が端末により送信されたデータを受信し、前記データに対応するＰＤＵセッションを決定し、前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送する。本発明の実施例に係る技術案を用い、データ受信側(例えば、端末又はアクセスネットワーク要素)は、受信したデータをＰＤＵセッションに対応するＩＰエンティティ又はチャネルに正しく受け渡すことができ、データの円滑な伝送を確保する。
【図面の簡単な説明】
【００４８】
本明細書に記載された図面は、本発明の更なる理解を提供するために提供されたものであり、本願の一部を構成し、本発明の例示的な実施例及びその説明は、本発明を説明するためのものであり、本発明を限定するものではない。
【図１】ＰＤＵセッションチャネルの模式図である。
【図２】本発明の実施例における５Ｇネットワークのシステムアーキテクチャ構成図である。
【図３】本発明の実施例におけるデータ伝送方法のフローチャート一である。
【図４】本発明の実施例におけるデータ伝送方法のフローチャート二である。
【図５】本発明の実施例におけるデータ伝送装置の構成図である。
【図６】本発明の実施例におけるコンピュータ装置の構成図である。
【発明を実施するための形態】
【００４９】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００５０】
図２に示すように、本発明の実施例に係る５Ｇネットワークシステムに含まれる装置は、
端末( ＵＥ、Ｕｓｅｒ Ｅｑｕｉｐｍｅｎｔ )、無線アクセスネットワーク( ＲＡＮ、Ｒａｄｉｏ Ａｃｃｅｓｓ Ｎｅｔｗｏｒｋ )、ユーザプレーン機能( ＵＰＦ、Ｕｓｅｒ Ｐｌａｎｅ Ｆｕｎｃｔｉｏｎ )、データネットワーク( ＤＮ、Ｄａｔａ Ｎｅｔｗｏｒｋ )、受信コアアクセス＆モビリティ管理機能( ＡＭＦ、Ｃｏｒｅ Ａｃｃｅｓｓ ａｎｄ Ｍｏｂｉｌｉｔｙ Ｍａｎａｇｅｍｅｎｔ Ｆｕｎｃｔｉｏｎ )、セッション管理機能( ＳＭＦ、Ｓｅｓｓｉｏｎ Ｍａｎａｇｅｍｅｎｔ Ｆｕｎｃｔｉｏｎ )、ポリシー制御機能( ＰＣＦ、Ｐｏｌｉｃｙ Ｃｏｎｔｒｏｌ ｆｕｎｃｔｉｏｎ )、アプリケーション機能( ＡＦ、Ａｐｐｌｉｃａｔｉｏｎ Ｆｕｎｃｔｉｏｎ )、認証サーバ機能( ＡＵＳＦ、Ａｕｔｈｅｎｔｉｃａｔｉｏｎ Ｓｅｒｖｅｒ Ｆｕｎｃｔｉｏｎ )、統合データ管理( ＵＤＭ、Ｕｎｉｆｉｅｄ Ｄａｔａ Ｍａｎａｇｅｍｅｎｔ )を含む。
【００５１】
５Ｇシステムにおいて、各ＵＥは、１つ以上のＰＤＵセッションを確立することができ、各ＰＤＵセッションは、複数のＱｏＳフローを含むことができる。
【００５２】
上記図２は、本発明の実施例を実現するネットワークアーキテクチャの一例であり、本発明の実施例は、上記図２に記載されたネットワーク構成に限定されない。
【００５３】
図３は、本発明の実施例に係るデータ伝送方法のフローチャート一であり、図３に示すように、前記データ伝送方法は、以下のステップを含む。
【００５４】
ステップ３０１において、端末がアクセスネットワーク要素により送信されたデータを受信し、前記データに対応するＰＤＵセッションを決定する。
【００５５】
本発明の実施例において、端末は、携帯電話、タブレット、ノート型パソコン、デスクトップ型パソコンなど、ネットワークと通信可能な任意のデバイスであってよい。
【００５６】
本発明の実施例において、アクセスネットワーク要素が下りデータを端末に送信する時、このデータにＰＤＵセッションの関連情報が含まれ、ここで、ＰＤＵセッションの関連情報は、ＰＤＵセッションの識別情報、ＰＤＵセッションのアドレス情報、ＱｏＳフローの識別情報のうちの少なくとも１つを含む。
【００５７】
これにより、前記端末がアクセスネットワーク要素により送信されたデータを受信する時に、前記データからＰＤＵセッションの関連情報を抽出し、前記端末が前記ＰＤＵセッションの関連情報に基づいて、前記データに対応するＰＤＵセッションを決定する。
【００５８】
以下、ＰＤＵセッションの関連情報の異なる実現方式により、前記データに対応するＰＤＵセッションをどのように決定することを説明する。
【００５９】
１）ＰＤＵセッションの関連情報がＰＤＵセッションの識別情報である。
【００６０】
端末は、アクセスネットワーク要素により送信されたデータを受信した場合、前記ＰＤＵセッションの識別情報に基づいて、前記データに対応するＰＤＵセッションを決定する。
【００６１】
２）ＰＤＵセッションの関連情報がＰＤＵセッションのアドレス情報である。
【００６２】
端末は、アクセスネットワーク要素により送信されたデータを受信した場合、前記ＰＤＵセッションのアドレス情報とＰＤＵセッションとの対応関係に基づいて、前記データに対応するＰＤＵセッションを決定する。
【００６３】
例えば、端末は、アクセスネットワーク要素により送信されたＩＰデータパケットを受信し、このＩＰデータパケット内のアドレス情報に基づいて、対応するＰＤＵセッションを決定し、ＩＰデータパケットを対応する上位層エンティティ（例えば、ＩＰエンティティ）に提供する。
【００６４】
３）ＰＤＵセッションの関連情報がＱｏＳフローの識別情報である。
【００６５】
端末は、アクセスネットワーク要素により送信されたデータを受信した場合、前記ＱｏＳフローの識別情報とＰＤＵセッションとの対応関係に基づいて、前記データに対応するＰＤＵセッションを決定する。
【００６６】
上記の２）に記載されるＰＤＵセッションのアドレス情報とＰＤＵセッションとの対応関係は、以下の方式で決定される。
【００６７】
方式一（ネゴシエーションして構成する）として、ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成する。
【００６８】
ここで、ネゴシエーションして構成することは、１）前記端末が前記対応関係を構成し、構成された前記対応関係を前記アクセスネットワーク要素及びコアネットワーク要素に送信すること、又は、２）前記端末が前記アクセスネットワーク要素又はコアネットワーク要素により構成された前記対応関係を受信することであってもよい。
【００６９】
方式二（プロトコルで約定）として、前記端末は、所定のプロトコルに基づいて、ＰＤＵセッションのアドレス情報とＰＤＵセッションとの対応関係を決定する。
【００７０】
同様に、以上の３）に記載されるＱｏＳフローの識別情報とＰＤＵセッションとの対応関係は、以下の方式で決定される。
【００７１】
方式一（ネゴシエーションして構成する）として、ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成する。
【００７２】
ここで、ネゴシエーションして構成することは、１）前記端末が前記対応関係を構成し、構成された前記対応関係を前記アクセスネットワーク要素及びコアネットワーク要素に送信すること、又は、２）前記端末が前記アクセスネットワーク要素又はコアネットワーク要素により構成された前記対応関係を受信することであってもよい。
【００７３】
方式二（プロトコルで約定）として、前記端末は、所定のプロトコルに基づいて、ＱｏＳフローの識別情報とＰＤＵセッションとの対応関係を決定する。
【００７４】
ステップ３０２において、前記端末が前記データに対応するＰＤＵセッションに基づいて、前記ＰＤＵセッションに対応するプロトコル層エンティティに前記データを伝送する。
【００７５】
ここで、端末は、データに対応するＰＤＵセッションを決定した後、前記ＰＤＵセッションに対応するプロトコル層エンティティに前記データを伝送し、ここで、プロトコル層エンティティは、ＩＰエンティティまたはＳＭＳＦエンティティのような上位層エンティティ(受信されたデータの下位層エンティティに対して)である。
【００７６】
図４は本発明の実施例におけるデータ伝送方法のフローチャート二であり、図４に示すように、前記データ伝送方法は、以下のステップを含む。
【００７７】
ステップ４０１において、アクセスネットワーク要素が端末により送信されたデータを受信し、前記データに対応するＰＤＵセッションを決定する。
【００７８】
本発明の実施例において、端末が上りデータをアクセスネットワーク要素に送信する時に、このデータにＰＤＵセッションの関連情報を含めて、ここで、ＰＤＵセッションの関連情報包括は、ＰＤＵセッションの識別情報、ＰＤＵセッションのアドレス情報、ＱｏＳフローの識別情報のうちの少なくとも１つを含む。
【００７９】
これにより、前記アクセスネットワーク要素が端末により送信されたデータを受信する時に、前記データからＰＤＵセッションの関連情報を抽出し、前記アクセスネットワーク要素が前記ＰＤＵセッションの関連情報に基づいて、前記データに対応するＰＤＵセッションを決定する。
【００８０】
以下、ＰＤＵセッションの関連情報の異なる実現方式に基づいて、前記データに対応するＰＤＵセッションをどのに決定することを説明する。
【００８１】
１）ＰＤＵセッションの関連情報がＰＤＵセッションの識別情報である。
【００８２】
アクセスネットワーク要素は、端末により送信されたデータを受信した場合、前記ＰＤＵセッションの識別情報に基づいて、前記データに対応するＰＤＵセッションを決定する。
【００８３】
２）ＰＤＵセッションの関連情報がＰＤＵセッションのアドレス情報である。
【００８４】
アクセスネットワーク要素は、端末により送信されたデータを受信した場合、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定し、ここで、ＰＤＵセッションチャネルがＰＤＵセッションに一対一対応する。
【００８５】
例えば、アクセスネットワーク要素は、端末により送信されたＩＰデータパケットを受信し、このＩＰデータパケット内のアドレス情報に基づいて対応するＰＤＵセッション又はＰＤＵセッションチャネルを決定し、このＩＰデータパケットを対応するチャネルに提供する。
【００８６】
３）ＰＤＵセッションの関連情報がＱｏＳフローの識別情報である。
【００８７】
アクセスネットワーク要素は、端末により送信されたデータを受信した場合、前記ＱｏＳフローの識別情報とＰＤＵセッションとの対応関係に基づいて、前記データに対応するＰＤＵセッションを決定する。
【００８８】
上記の２）に記載されるＰＤＵセッションのアドレス情報とＰＤＵセッションとの対応関係、及びＰＤＵセッションのアドレス情報とＰＤＵセッションチャネルとの対応関係は、以下の方式により決定される。
【００８９】
方式一（ネゴシエーションして構成する）として、ＰＤＵセッションを確立又は変更する場合、前記アクセスネットワーク要素と端末とコアネットワーク要素とは、ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成することを含む。
【００９０】
ここで、ネゴシエーションして構成することは、１）前記アクセスネットワーク要素が前記対応関係を構成し、構成された前記対応関係を前記端末及びコアネットワーク要素に送信すること、又は、２）前記アクセスネットワーク要素が前記端末又はコアネットワーク要素により構成された前記対応関係を受信することであってもよい。
【００９１】
方式二（プロトコルで約定）として、前記アクセスネットワーク要素は、所定のプロトコルに基づいて、ＰＤＵセッションのアドレス情報とＰＤＵセッションとの対応関係、ＰＤＵセッションのアドレス情報とＰＤＵセッションチャネルとの対応関係のうちの少なくとも１つを決定する。
【００９２】
同様、上記の３）に記載されるＱｏＳフローの識別情報とＰＤＵセッションとの対応関係は、以下の方式により決定される。
【００９３】
方式一（ネゴシエーションして構成する）として、ＰＤＵセッションを確立又は変更する場合、前記アクセスネットワーク要素と端末とコアネットワーク要素とは、ＱｏＳフローの識別情報とＰＤＵセッションとの対応関係をネゴシエーションして構成する。
【００９４】
ここで、ネゴシエーションして構成することは、１）前記アクセスネットワーク要素が前記対応関係を構成し、構成された前記対応関係を前記端末及びコアネットワーク要素に送信すること、又は、２）前記アクセスネットワーク要素が前記端末又はコアネットワーク要素により構成された前記対応関係を受信することであってもよい。
【００９５】
方式二（プロトコルで約定）として、アクセスネットワーク要素は、所定のプロトコルに基づいて、ＱｏＳフローの識別情報とＰＤＵセッションとの対応関係を決定する。
【００９６】
ステップ４０２において、前記アクセスネットワーク要素が前記データに対応するＰＤＵセッションに基づいて、前記ＰＤＵセッションに対応するチャネルに前記データを伝送し、前記チャネルに基づいて前記データをコアネットワーク要素に伝送する。
【００９７】
ここで、アクセスネットワーク要素は、データに対応するＰＤＵセッションを決定した後、前記データを前記ＰＤＵセッションに対応するチャネルに伝送する。
【００９８】
図５は、本発明の実施例におけるデータ伝送装置の構成を示す図であり、本実施例によるデータ伝送装置は、端末に設けられてもよいし、ネットワーク側のアクセスネットワーク要素に設けられてもよい。以下、端末におけるデータ伝送装置、及びアクセスネットワークにおけるデータ伝送装置についてそれぞれ説明する。
【００９９】
１）端末におけるデータ伝送装置は、受信ユニット５０１、決定ユニット５０２及び伝送ユニット５０３を含み
受信ユニット５０１は、アクセスネットワーク要素により送信されたデータを受信するように構成され、
決定ユニット５０２は、前記データに対応するＰＤＵセッションを決定するように構成され、
伝送ユニット５０３は、前記データに対応するＰＤＵセッションに基づいて、前記ＰＤＵセッションに対応するプロトコル層エンティティに前記データを伝送するように構成される。
【０１００】
ある実施例において、前記決定ユニット５０２は、前記データからＰＤＵセッションの関連情報を抽出し、前記ＰＤＵセッションの関連情報に基づいて、前記データに対応するＰＤＵセッションを決定するように構成され、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【０１０１】
ある実施例において、前記ＰＤＵセッションの関連情報がＰＤＵセッションの識別情報であり、
前記決定ユニット５０２は、前記ＰＤＵセッションの識別情報に基づいて、前記データに対応するＰＤＵセッションを決定するように構成される。
【０１０２】
ある実施例において、前記ＰＤＵセッションの関連情報がＰＤＵセッションのアドレス情報であり、
前記決定ユニット５０２は、前記ＰＤＵセッションのアドレス情報とＰＤＵセッションとの対応関係に基づいて、前記データに対応するＰＤＵセッションを決定するように構成される。
【０１０３】
ある実施例において、前記ＰＤＵセッションの関連情報がＱｏＳフローの識別情報であり、
前記決定ユニット５０２は、前記ＱｏＳフローの識別情報とＰＤＵセッションとの対応関係に基づいて、前記データに対応するＰＤＵセッションを決定するように構成される。
【０１０４】
ある実施例において、前記装置は、さらに、ネゴシエーションユニット５０４を含み、
ネゴシエーションユニット５０４は、ＰＤＵセッションを確立又は変更する場合、アクセスネットワーク要素及びコアネットワーク要素とは、ＰＤＵセッションのアドレス情報とＰＤＵセッションとの対応関係をネゴシエーションして構成するように構成される。
【０１０５】
ある実施例において、前記決定ユニット５０２は、さらに、所定のプロトコルに基づいて、ＰＤＵセッションのアドレス情報とＰＤＵセッションとの対応関係を決定するように構成される。
【０１０６】
ある実施例において、前記装置は、さらに、ネゴシエーションユニット５０４を含み、
ネゴシエーションユニット５０４は、ＰＤＵセッションを確立又は変更する場合、アクセスネットワーク要素及びコアネットワーク要素とは、ＱｏＳフローの識別情報とＰＤＵセッションとの対応関係をネゴシエーションして構成するように構成される。
【０１０７】
ある実施例において、前記決定ユニット５０２は、さらに、所定のプロトコルに基づいて、ＱｏＳフローの識別情報とＰＤＵセッションとの対応関係を決定するように構成される。
【０１０８】
ある実施例において、前記ネゴシエーションユニット５０４は、前記対応関係を構成し、構成された前記対応関係を前記アクセスネットワーク要素及びコアネットワーク要素を送信し、又は、前記アクセスネットワーク要素又はコアネットワーク要素により構成された前記対応関係を受信するように構成される。
【０１０９】
上記の技術案において、前記伝送ユニット５０３は、前記ＰＤＵセッションに対応するＩＰエンティティ又はＳＭＳＦエンティティに前記データを伝送するように構成される。
【０１１０】
２）アクセスネットワーク要素におけるデータ伝送装置は、受信ユニット５０１、決定ユニット５０２及び伝送ユニット５０３を含み、
受信ユニット５０１は、端末により送信されたデータを受信するように構成され、
決定ユニット５０２は、前記データに対応するＰＤＵセッションを決定するように構成され、
伝送ユニット５０３は、前記データに対応するＰＤＵセッションに基づいて、前記ＰＤＵセッションに対応するチャネルに前記データを伝送し、前記チャネルに基づいて前記データをコアネットワーク要素に伝送するように構成される。
【０１１１】
ある実施例において、前記決定ユニット５０２は、前記データからＰＤＵセッションの関連情報を抽出し、前記ＰＤＵセッションの関連情報に基づいて、前記データに対応するＰＤＵセッションを決定し、ここで、前記ＰＤＵセッションの関連情報は、
ＰＤＵセッションの識別情報、ＰＤＵセッションのアドレス情報、ＱｏＳフローの識別情報のうちの少なくとも１つを含む。
【０１１２】
ある実施例において、前記ＰＤＵセッションの関連情報がＰＤＵセッションの識別情報であり、
前記決定ユニット５０２は、前記ＰＤＵセッションの識別情報に基づいて、前記データに対応するＰＤＵセッションを決定するように構成される。
【０１１３】
ある実施例において、前記ＰＤＵセッションの関連情報がＰＤＵセッションのアドレス情報であり、
前記決定ユニット５０２は、前記ＰＤＵセッションのアドレス情報とＰＤＵセッションとの対応関係に基づいて、前記データに対応するＰＤＵセッションを決定し、又は、前記ＰＤＵセッションのアドレス情報とＰＤＵセッションチャネルとの対応関係に基づいて、前記データに対応するＰＤＵセッションを決定するように構成され、ここで、ＰＤＵセッションチャネルがＰＤＵセッションに一対一対応する。
【０１１４】
ある実施例において、前記ＰＤＵセッションの関連情報がＱｏＳフローの識別情報であり、
前記決定ユニット５０２は、前記ＱｏＳフローの識別情報とＰＤＵセッションとの対応関係に基づいて、前記データに対応するＰＤＵセッションを決定するように構成される。
【０１１５】
ある実施例において、前記装置は、さらに、ネゴシエーションユニット５０４を含み、
ネゴシエーションユニット５０４は、ＰＤＵセッションを確立又は変更する場合、端末及びコアネットワーク要素とは、
ＰＤＵセッションのアドレス情報とＰＤＵセッションとの対応関係、ＰＤＵセッションのアドレス情報とＰＤＵセッションチャネルとの対応関係のうちの少なくとも１つをネゴシエーションして構成するように構成される。
【０１１６】
ある実施例において、前記決定ユニット５０２は、さらに、所定のプロトコルに基づいて、
ＰＤＵセッションのアドレス情報とＰＤＵセッションとの対応関係、ＰＤＵセッションのアドレス情報とＰＤＵセッションチャネルとの対応関係のうちの少なくとも１つを決定するように構成される。
【０１１７】
ある実施例において、前記装置は、さらに、
ネゴシエーションユニット５０４は、ＰＤＵセッションを確立又は変更する場合、端末及びコアネットワーク要素とは、ＱｏＳフローの識別情報とＰＤＵセッションとの対応関係をネゴシエーションして構成するように構成される。
【０１１８】
ある実施例において、前記決定ユニット５０２は、さらに、所定のプロトコルに基づいて、ＱｏＳフローの識別情報とＰＤＵセッションとの対応関係を決定するように構成される。
【０１１９】
ある実施例において、前記ネゴシエーションユニット５０４は、前記対応関係を構成し、構成された前記対応関係を前記端末及びコアネットワーク要素に送信し、又は、前記端末又はコアネットワーク要素により構成された前記対応関係を受信するように構成される。
【０１２０】
図５に示したデータ伝送装置の各ユニットの実現機能は、上記データ伝送方法の説明を参酌して理解されるべきである。図５に示すデータ伝送装置における各ユニットの機能は、プロセッサ上で動作するプログラムによって実現されてもよいし、具体的な論理回路によって実現されてもよい。
【０１２１】
本発明の実施例に係る上記データ伝送装置は、ソフトウェア機能ブロックの形で実現され、独立した製品として販売または使用される場合には、コンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施例は、ハードウェアとソフトウェアのいかなる組み合わせにも限定されない。
【０１２２】
従って、本発明の実施例は、プロセッサによって実行されたときに本発明の実施例の上述のデータ伝送方法を実現するコンピュータ実行可能命令を記憶したコンピュータ記憶媒体をさらに提供する。
【０１２３】
図６は、本発明の実施例によるコンピュータデバイスの構成を示す図であり、本発明の実施例によるコンピュータデバイスは、端末であっても、ネットワークデバイス(例えば、アクセスネットワークセル)であってもよく、図６に示すように、コンピュータデバイス１００は、１つ又は複数(図には１つのみ示す)のプロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含んでもよいが、これらに限定されない)、データを格納するためのメモリ１００４、及び通信機能のための伝送装置１００６を含んでもよい。図６に示す構成は、例示であり、上述した電子装置の構成に限定されないことは、当業者に理解されるところである。例えば、コンピュータ装置１００は、図６に示されるよりも多いか少ない構成要素をさらに含んでもよく、又は図６に示されるものとは異なる構成を有してもよい。
【０１２４】
メモリ１００４は、本発明の実施例に係るデータ伝送方法に対応するプログラム命令/モジュールのようなアプリケーションのソフトウェアプログラム及びモジュールを格納するために使用され、プロセッサ１００２は、メモリ１００４に格納されたソフトウェアプログラム及びモジュールを実行することによって、様々な機能アプリケーション及びデータ処理を実行する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１２５】
伝送装置１００６は、ネットワークを介してデータを送受信するための装置である。上記のネットワークの具体例は、コンピュータ装置１００の通信プロバイダが提供する無線ネットワークを含んでもよい。一例において、送信装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、送信装置１００６は、無線方式でインターネットと通信するための無線周波数( ＲＦ、Ｒａｄｉｏ Ｆｒｅｑｕｅｎｃｙ )モジュールであり得る。
【０１２６】
本発明の実施例に記載した技術的手段は、矛盾なき限り、任意に組み合わせることができる。
【０１２７】
本発明によって提供されるいくつかの実施例において、開示される方法およびスマートデバイスは、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１２８】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよく、また、本実施例の目的を達成する手段の一部又は全部を、必要に応じて選択することができる。
【０１２９】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよく、上記の統合されたユニットは、ハードウェアの形態で実現されてもよいし、ハードウェア及びソフトウェア機能ユニットの形態で実現されてもよい。
【０１３０】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。
【手続補正２】
【補正対象書類名】特許請求の範囲
【補正対象項目名】全文
【補正方法】変更
【補正の内容】
【特許請求の範囲】
【請求項１】
端末がアクセスネットワーク要素により送信されたデータを受信し、前記データに対応するプロトコルデータユニットＰＤＵセッションを決定することと、
前記端末が前記データに対応するＰＤＵセッションに基づいて、前記ＰＤＵセッションに対応するプロトコル層エンティティに前記データを伝送することとを含む
ことを特徴とするデータ伝送方法。
【請求項２】
前記端末がアクセスネットワーク要素により送信されたデータを受信し、前記データに対応するＰＤＵセッションを決定することは、
前記端末がアクセスネットワーク要素により送信されたデータを受信する時に、前記データからＰＤＵセッションの関連情報を抽出することと、
前記端末が前記ＰＤＵセッションの関連情報に基づいて、前記データに対応するＰＤＵセッションを決定することとを含み、
前記ＰＤＵセッションの関連情報は、
ＰＤＵセッションの識別情報、ＰＤＵセッションのアドレス情報、サービス品質ＱｏＳフローの識別情報のうちの少なくとも１つを含む
ことを特徴とする請求項１に記載のデータ伝送方法。
【請求項３】
前記ＰＤＵセッションの関連情報がＰＤＵセッションの識別情報であり、
前記端末が前記ＰＤＵセッションの関連情報に基づいて、前記データに対応するＰＤＵセッションを決定することは、
前記端末が前記ＰＤＵセッションの識別情報に基づいて、前記データに対応するＰＤＵセッションを決定することを含む
ことを特徴とする請求項２に記載のデータ伝送方法。
【請求項４】
前記ＰＤＵセッションの関連情報がＰＤＵセッションのアドレス情報であり、
前記端末が前記ＰＤＵセッションの関連情報に基づいて、前記データに対応するＰＤＵセッションを決定することは、
前記端末が前記ＰＤＵセッションのアドレス情報とＰＤＵセッションとの対応関係に基づいて、前記データに対応するＰＤＵセッションを決定することを含む
ことを特徴とする請求項２に記載のデータ伝送方法。
【請求項５】
前記ＰＤＵセッションの関連情報がＱｏＳフローの識別情報であり、
前記端末が前記ＰＤＵセッションの関連情報に基づいて、前記データに対応するＰＤＵセッションを決定することは、
前記端末が前記ＱｏＳフローの識別情報とＰＤＵセッションとの対応関係に基づいて、前記データに対応するＰＤＵセッションを決定することを含む
ことを特徴とする請求項２に記載のデータ伝送方法。
【請求項６】
前記方法は、さらに、
ＰＤＵセッションを確立又は変更する場合、前記端末とアクセスネットワーク要素とコアネットワーク要素とは、ＰＤＵセッションのアドレス情報とＰＤＵセッションとの対応関係をネゴシエーションして構成することを含む
ことを特徴とする請求項４に記載のデータ伝送方法。
【請求項７】
前記方法は、さらに、
前記端末は、所定のプロトコルに基づいて、ＰＤＵセッションのアドレス情報とＰＤＵセッションとの対応関係を決定することを含む
ことを特徴とする請求項４に記載のデータ伝送方法。
【請求項８】
前記方法は、さらに、
ＰＤＵセッションを確立又は変更する場合、前記端末とアクセスネットワーク要素とコアネットワーク要素とは、ＱｏＳフローの識別情報とＰＤＵセッションとの対応関係をネゴシエーションして構成することを含む
ことを特徴とする請求項５に記載のデータ伝送方法。
【請求項９】
前記方法は、さらに、
前記端末は、所定のプロトコルに基づいて、ＱｏＳフローの識別情報とＰＤＵセッションとの対応関係を決定することを含む
ことを特徴とする請求項５に記載のデータ伝送方法。
【請求項１０】
前記端末とアクセスネットワーク要素とコアネットワーク要素とが、対応関係をネゴシエーションして構成することは、
前記端末が前記対応関係を構成し、構成された前記対応関係を前記アクセスネットワーク要素及びコアネットワーク要素に送信すること、又は、
前記端末が前記アクセスネットワーク要素又はコアネットワーク要素により構成された前記対応関係を受信することを含む
ことを特徴とする請求項６又は８に記載のデータ伝送方法。
【請求項１１】
前記ＰＤＵセッションに対応するプロトコル層エンティティに前記データを伝送することは、
前記ＰＤＵセッションに対応するＩＰエンティティ又はＳＭＳＦエンティティに前記データを伝送することを含む
ことを特徴とする請求項１〜１０のいずれか１項に記載のデータ伝送方法。
【請求項１２】
アクセスネットワーク要素が端末により送信されたデータを受信し、前記データに対応するＰＤＵセッションを決定することと、
前記アクセスネットワーク要素が前記データに対応するＰＤＵセッションに基づいて、  前記ＰＤＵセッションに対応するチャネルに前記データを伝送し、前記チャネルに基づいて前記データをコアネットワーク要素に伝送することとを含む
ことを特徴とするデータ伝送方法。
【請求項１３】
前記アクセスネットワーク要素が端末により送信されたデータを受信し、前記データに対応するＰＤＵセッションを決定するこは、
前記アクセスネットワーク要素が端末により送信されたデータを受信する時に、前記データからＰＤＵセッションの関連情報を抽出することと、
前記アクセスネットワーク要素が前記ＰＤＵセッションの関連情報に基づいて、前記データに対応するＰＤＵセッションを決定することとを含み、
前記ＰＤＵセッションの関連情報は、
ＰＤＵセッションの識別情報、ＰＤＵセッションのアドレス情報、ＱｏＳフローの識別情報のうちの少なくとも１つを含む
ことを特徴とする請求項１２に記載のデータ伝送方法。
【請求項１４】
プロセッサと、メモリとを備えるデータ伝送装置であって、
前記メモリは、実行可能な命令を格納し、
前記プロセッサは、実行可能な命令を実行するとき、請求項１〜１３のいずれか１項に記載のデータ伝送方法を実行するように構成される
ことを特徴とするデータ伝送装置。
【請求項１５】
プロセッサによって実行されると、請求項１〜１１のいずれか１項に記載の方法ステップ、又は請求項１２〜１３のいずれか１項に記載の方法ステップを実現するコンピュータ実行可能命令を記憶した
ことを特徴とするコンピュータ記憶媒体。
【手続補正３】
【補正対象書類名】図面
【補正対象項目名】全図
【補正方法】変更
【補正の内容】
【図１】
2021513758.tif 000009
【図２】
2021513758.tif 000010
【図３】
2021513758.tif 000011
【図４】
2021513758.tif 000012
【図５】
2021513758.tif 000013
【図６】
2021513758.tif 000014
【国際調査報告】
2021513758.tif 000015
2021513758.tif 000016
2021513758.tif 000017
2021513758.tif 000018